(57)【要約】  硫黄分の含有量が０．５０質量％以下であっても、船舶における使用に耐え得る貯蔵安定性、長期貯蔵安定性、燃焼性、低温流動性及び動粘度を備えた燃料油組成物を提供する。硫黄分の含有量が０．５０質量％以下、及び芳香族分の含有量が５０．０〜７５．０質量％であって、ＴＬＣ／ＦＩＤ法を用いて測定される、前記芳香族分及びレジン分の和に対するパラフィン分及びアスファルテン分の和の質量比が０．２０〜０．８０、ＣＣＡＩが８６０以下、動粘度（５０℃）が１０．００〜１８０．０ｍｍ２／ｓ、及び流動点が２５．０℃以下である燃料油組成物である。【特許請求の範囲】
【請求項１】
硫黄分の含有量が０．５０質量％以下、及び芳香族分の含有量が５０．０〜７５．０質量％であって、
ＴＬＣ／ＦＩＤ法を用いて測定される、前記芳香族分及びレジン分の和に対するパラフィン分及びアスファルテン分の和の質量比が０．２０〜０．８０、ＣＣＡＩが８６０以下、動粘度（５０℃）が１０．００〜１８０．０ｍｍ２／ｓ、及び流動点が２５．０℃以下であることを特徴とする燃料油組成物。
【請求項２】
脱硫残渣を３０．０容量％以上含む請求項１に記載の燃料油組成物。
【請求項３】
前記脱硫残渣が、芳香族分を４５．０〜７０．０質量％含む請求項２に記載の燃料油組成物。
【請求項４】
前記燃料油組成物中における前記レジン分の含有量が２．０質量％以下である、請求項１乃至３の何れか１項に記載の燃料油組成物。
【請求項５】
前記燃料油組成物中における前記アスファルテン分の含有量が５．０質量％以下である、請求項１乃至４の何れか１項に記載の燃料油組成物。
【発明の詳細な説明】
【技術分野】
【０００１】
本発明は、ボイラーなどの外燃機関、船舶などのディーゼル機関に用いられる燃料油組成物に関する。
【背景技術】
【０００２】
域外地域を航行する船舶用の燃料として広く使用されている燃料油組成物には、船舶燃料として、着火性能、燃焼性能に優れ、燃焼障害を発生させないことが要求されている。そこで、これら要求性能を満たす手法として、特許文献１（特開２０１４−５１５９１号公報）には、１５℃における密度、５０℃における動粘度、熱重量−示差熱分析による窒素雰囲気下での１０％重量減少温度、５０％重量減少温度、９０％重量減少温度により導かれる着火性指標を０以上１５未満とすることが開示されている。【０００３】
一方、近年では、エネルギー効率が良く排出量も比較的小さいとされていた船舶輸送の排出ガスについても、その改善が求められており、主に船舶から排出される硫黄酸化物（ＳＯｘ）や黒煙を削減するため、船舶燃料硫黄分の規制が進みつつある。【０００４】
硫黄酸化物及び粒子状物質は、燃料に含まれる硫黄に起因するため、域外地域を航行する船舶用の燃料として広く利用されている燃料油組成物の硫黄分は現行の３．５質量％以下であるところ、２０２０年には、０．５質量％以下とすることが義務付けられる。【０００５】
そこで、燃料油組成物の硫黄分を０．５質量％以下としながら燃料としての要求性状を満たす燃料油組成物が提案されている。例えば、特許文献２（特開２０１８−１６５３６５号公報）には、直接脱硫重油と、スラリーオイル及び接触分解軽油の少なくとも一方と、を含有し、組成物の全質量に対する芳香族分の含有量及びレジン分の含有量の和に対する、アスファルテン分の含有量の比が０．０９０以下であり、かつ、硫黄分の含有量が組成物の全質量に対して０．５０質量％以下である、燃料油組成物が開示されている。【０００６】
また、特許文献３（特開２０１８−１６５３６６号公報）には、スラリーオイルと、残渣留分を含む２種以上からなる前記スラリーオイル以外の混合用基材と、を含有し、前記残渣留分の含有量が、燃料油組成物の全容量に対して、０．３容量％〜５．０容量％であり、硫黄分が０．５質量％以下である燃料油組成物が開示されている。【０００７】
更に、特許文献４（特開２０１８−１６５３６７号公報）には、スラリーオイルと、スラリーオイル以外の１種又は２種以上からなるＣＣＡＩが８５０以下である基材とを含有し、前記スラリーオイルの含有量が、燃料油組成物の全容量に対して、２０.０容量％〜８５.０容量％であり、前記スラリーオイル以外の１種又２種以上の基材の含有量が、燃料油組成物の全容量に対して、１５.０容量％〜８０.０容量％であり、硫黄分が０．５質量％以下である燃料油組成物が提案されている。
【先行技術文献】
【特許文献】
【０００８】
【特許文献１】特開２０１４−５１５９１号公報
【特許文献２】特開２０１８−１６５３６５号公報
【特許文献３】特開２０１８−１６５３６６号公報
【特許文献４】特開２０１８−１６５３６７号公報
【発明の開示】
【発明が解決しようとする課題】
【０００９】
しかしながら、Ｃ重油組成物に関する、特許文献に記載の技術において、硫黄分の含有量は、所定の規格（例えば、ＪＩＳ  Ｋ２２０５の０．５質量％以下）を満たすものであれば必要以上に低くすることを想定したものではなく、域外地域を航行する船舶用の燃料として広く利用されているＣ重油組成物の硫黄分の含有量が３．５質量％以下であることは既述の通りである。【００１０】
そのため、硫黄分の含有量を低くしたときのＣ重油組成物に発現し得る課題は、上述した特許文献に記載の技術では解決されない可能性がある。具体的には、硫黄分の含有量の低下に伴い、貯蔵安定性、長期貯蔵安定性、着火性、燃焼性、低温流動性及び動粘度が、船舶における使用に耐え得るものになるかどうかが懸念される。【００１１】
そこで本開示は、硫黄分の含有量が０．５０質量％以下であっても、船舶における使用に耐え得る貯蔵安定性、長期貯蔵安定性、着火性、燃焼性、低温流動性及び動粘度を備えた燃料油組成物を提供することを目的とする。
【課題を解決するための手段】
【００１２】
以上の目的を達成するために、本発明者らは、鋭意研究を重ねた。本開示の一態様は、硫黄分の含有量が０．５０質量％以下、及び芳香族分の含有量が５０．０〜７５．０質量％であって、ＴＬＣ／ＦＩＤ法を用いて測定される、前記芳香族分及びレジン分の和に対するパラフィン分及びアスファルテン分の和の質量比が０．２０〜０．８０、ＣＣＡＩが８６０以下、動粘度（５０℃）が１０．００〜１８０．０ｍｍ２／ｓ、及び流動点が２５．０℃以下である燃料油組成物である。
【発明の効果】
【００１３】
本開示によれば、硫黄分の含有量が０．５０質量％以下であっても、船舶における使用に耐え得る貯蔵安定性、長期貯蔵安定性、着火性、燃焼性、低温流動性及び動粘度を備えた燃料油組成物を提供することができる。
【発明を実施するための形態】
【００１４】
本開示に係る燃料油組成物は、ＪＩＳ  Ｋ  ２２０５規格を満たす燃料油組成物である。
【００１５】
本開示に係る燃料油組成物は、硫黄分の含有量が０．５０質量％以下である。硫黄分は環境汚染源の一つであり、硫黄分の含有量が多すぎると排気ガス中の硫黄酸化物や粒子状物質の排出が多くなる。よって、硫黄分の含有量は少ない方が好ましい。しかし、硫黄分の含有量が少なすぎると動粘度が低下し燃料油組成物の自己潤滑性が低下することがある。そのため、硫黄分の含有量は、好ましくは０．１５質量％以上、より好ましくは０．２０質量％以上、更に好ましくは０．２５質量％以上、特に好ましくは０．３０質量％以上である。
【００１６】
本開示に係る燃料油組成物は、パラフィン分を含む。パラフィン分の含有量は、好ましくは６０．０質量％以下、より好ましくは、２４．０〜４５．０質量％、更に好ましくは３５．０〜４２．０質量％である。本開示において、パラフィン分とはパラフィンを主とする成分である。パラフィン分の含有量は、例えばＴＬＣ／ＦＩＤ（薄層クロマトグラフィー／水素炎イオン化検出器）法を用いて求められる。ＴＬＣ／ＦＩＤ法においては、パラフィン分は、ｎ−ヘキサンによって展開された後、分離される。パラフィン分の含有量が少ないと、燃料油組成物の場合、着火燃焼性に影響を与える芳香族分の全体に対する割合が増加し、これにより、エンジンの始動性不良などの不具合を生じることがある。一方、パラフィン分の含有量が多いとフィルター通油性能、貯蔵安定性、長期貯蔵安定性及び低温流動性が悪くなることがある。
【００１７】
本開示に係る燃料油組成物は、芳香族分を含む。芳香族分には、例えば、ベンゼンにアルキル基又はナフテン環を有する１環芳香族、ナフタレンにアルキル基又はナフテン環を有する２環芳香族、及びフェナントレン又はアントラセンにアルキル基又はナフテン環を有する３環芳香族が含まれる。芳香族分の含有量は、燃料油組成物中、５０．０〜７５．０質量％、好ましくは５３．０〜７０．０質量％、より好ましくは５５．０〜６５．０質量％である。芳香族分の含有量は、例えばＴＬＣ／ＦＩＤ法を用いて求められる。ＴＬＣ／ＦＩＤ法においては、芳香族分は、ｎ−ヘキサンによって展開されず、且つ、トルエンによって展開された後、分離される。芳香族分の含有量は、多い方がアスファルテン分を分散するため長期貯蔵安定性が高くなる。しかし、芳香族分の含有量は、多すぎると着火性及び燃焼性が悪くなることがあり、その結果、エンジンの始動性不良などの不具合を生ずることがある。
【００１８】
本開示に係る燃料油組成物は、レジン分を含む。レジン分の含有量は、貯蔵時のスラッジ抑制及び燃焼性の観点から、燃料油組成物中、好ましくは２．０質量％以下、より好ましくは０．２〜２．０質量％、更に好ましくは０．５〜１．６質量％である。レジン分は、燃焼性の観点から少ないほうが好ましいが、スラッジ抑制の観点では、少量含まれるほうが好ましい。レジン分の含有量は、例えばＴＬＣ／ＦＩＤ法を用いて求められる。ＴＬＣ／ＦＩＤ法においては、レジン分は、ｎ−ヘキサン及びトルエンによって展開されず、且つ、メタノールとジクロロメタンの混合溶媒によって展開された後、分離される。
【００１９】
本開示に係る燃料油組成物は、アスファルテン分を含む。アスファルテン分の含有量は、貯蔵時のスラッジ抑制及び燃焼性の観点から、少ないほうが好ましい。アスファルテン分は、燃料油組成物中、好ましくは５．０質量％以下、より好ましくは４．５質量％以下、更に好ましくは２．５質量％以下である。アスファルテン分の含有量は、例えばＴＬＣ／ＦＩＤ法を用いて求められる。ＴＬＣ／ＦＩＤ法においては、アスファルテン分は、ｎ−ヘキサン、トルエン、並びに、メタノール及びジクロロメタンの混合溶媒のいずれによっても展開されない。アスファルテン分の含有量は、燃料油組成物が外航船舶用燃料油として使用される場合、出荷基地などのタンクにおいて加温されて保管される場合等における長期貯蔵安定性の観点からより少ないほうが好ましい。
【００２０】
芳香族分及びレジン分の和に対するパラフィン分及びアスファルテン分の和の質量比（（パラフィン分＋アスファルテン分）／（芳香族分＋レジン分））は、０．２０〜０．８０、好ましくは０．３７〜０．７５、更に好ましくは０．３７〜０．７２である。この質量比が大きいと、長期貯蔵安定性が悪化する、又は、通油性能が悪化することがある。一方、質量比が小さいと着火性が悪化し、エンジン始動性不良などの不具合を発生させることがある。この質量比は、芳香族分、レジン分、パラフィン分、及びアスファルテン分の質量をそれぞれＴＬＣ／ＦＩＤ法を用いて求め、芳香族分及びレジン分の質量の和と、パラフィン分及びアスファルテン分の質量の和とから求める。
【００２１】
残留炭素分の含有量は、燃料油組成物中、好ましくは０．１０〜１０．００質量％、より好ましくは０．３０〜６．００質量％、更に好ましくは１．００〜５．００質量％、特に好ましくは１．５０〜３．００質量％である。残留炭素分の含有量が多いとフィルター通油性及び燃焼性が悪化することがある。
【００２２】
灰分の含有量は、燃料油組成物中、好ましくは０．０５０質量％以下である。灰分の含有量が多いと燃焼性が悪化することがある。
【００２３】
本開示に係る燃料油組成物は、密度（１５℃）が好ましくは０．９９１０ｇ／ｃｍ３以下、より好ましくは０．８７００〜０．９９００ｇ／ｃｍ３、更に好ましくは０．８９００〜０．９７００ｇ／ｃｍ３、特に好ましくは０．９０００〜０．９５００ｇ／ｃｍ３である。密度が小さいと、燃費が悪化することがあり、密度が大きいと、排ガス中の黒煙が増加したり、着火性が悪化したりすることがある。
【００２４】
本開示に係る燃料油組成物は、動粘度（５０℃）が１０．００〜１８０．０ｍｍ２／ｓ、好ましくは２０．００〜１２０．０ｍｍ２／ｓ、より好ましくは２５．００．００〜１１０．０ｍｍ２／ｓである。動粘度（５０℃）が小さいと、潤滑性能が悪化することがある。更に、動粘度（５０℃）が小さすぎると、燃焼室内の噴霧が悪化し、排ガス中の未燃炭化水素が多くなることがある。一方、動粘度（５０℃）が大きすぎる場合も、燃焼室内の噴霧状態が悪化し、排ガス性状も悪化することがある。燃料油組成物を低硫黄化するために、硫黄分３．５質量％以下の燃料油製造時の主基材である常圧残渣より動粘度が低い脱硫残渣基材及び動粘度の低い中間留分を燃料油組成物に混合することが考えられ、硫黄分の低下とともに動粘度も小さくなる傾向にあり、このような燃料油組成物の場合、潤滑性能が悪化することがある。また、一般的な、船舶用の燃料供給システムにおいて、燃料油組成物は、加温されて、燃焼室内に供給される。よって、動粘度が低すぎる場合、加温により燃料油組成物の粘性が低くなり、船舶が搭載する既存の燃料供給システムでは扱えなくなることがある。そのため、燃料油組成物が、既存の燃料供給ラインを適用できる程度の粘性を有するように、供給時点の温度における動粘度が所定の範囲になることが好ましい。したがって、燃料油組成物の動粘度（５０℃）は上述の範囲が好ましい。燃料油組成物の動粘度（５０℃）をこのような範囲にするには、例えば、製油所の精製プロセスから得られる残渣基材の動粘度に合わせて、当該残渣基材に分解系基材を混合すればよい。
【００２５】
本開示に係る燃料油組成物は、流動点が２５．０℃以下、好ましくは２２．５℃以下である。燃料油組成物を船舶用の燃料として使用する場合、燃料の流動性を確保するため船内の燃料タンクを加温することがある。しかし、流動点が高いと、加熱不足によるワックスが発生し、フィルターが目詰まりしてしまう可能性がある。また、流動点が高いと、高い温度で加温し続ける必要があるため、エネルギーコストがかかってしまう。
【００２６】
本開示に係る燃料油組成物は、ＣＣＡＩ（Ｃａｌｃｕｌａｔｅｄ  Ｃａｒｂｏｎ  Ａｒｏｍａｔｉｃ  Ｉｎｄｅｘ）が８６０以下、好ましくは８５０以下である。ＣＣＡＩは、芳香族分の含有量と着火性及び燃焼性との関連に着目した指標である。ＣＣＡＩは、重油の密度及び動粘度を用いて算出される。密度が比較的高い場合、燃料油組成物中の芳香族分が比較的多くなり、ＣＣＡＩが大きくなる。一方、密度が比較的低いと、燃料油組成物中の芳香族分が比較的少なくなり、ＣＣＡＩが小さくなる。また、ＣＣＡＩが大きいと着火性が悪化しエンジンの始動不良などの不具合を起こすことがある。また、ＣＣＡＩが小さいと排ガス中の未燃炭化水素が多くなることがある。したがって、ＣＣＡＩは７９０以上が好ましい。なお、動粘度が燃焼性に与える影響は上述した通りである。
【００２７】
本開示に係る燃料油組成物は、安全性及び貯蔵の観点から、引火点が好ましくは７０．０℃以上、より好ましくは８０．０℃以上である。
【００２８】
本開示に係る燃料油組成物は、推定セタン価が、１５．０以上が好ましく、さらに好ましくは２０．０以上である。推定セタン価が低いと、着火性が悪くなる場合がある。推定セタン価が高いと未燃炭化水素が発生しやすいなど、排ガス性状が悪化する可能性がある。したがって、推定セタン価は、５５．０以下が好ましい。
【００２９】
燃料油組成物の貯蔵安定性を評価するための指標として、実在スラッジと潜在スラッジとを用いることが好ましい。本開示に係る燃料油組成物の実在スラッジは、貯蔵安定性の観点から、好ましくは０．１０質量％以下、より好ましくは０．０５質量％以下、更に好ましくは０．０２質量％以下、特に好ましくは０．０１質量％以下である。
【００３０】
本開示に係る燃料油組成物の潜在スラッジは、長期貯蔵安定性の観点から、好ましくは０．１０質量％以下、より好ましくは０．０６質量％以下、更に好ましくは０．０３質量％以下である。
【００３１】
本開示に係る燃料油組成物は、最終的に得られる組成物が、規定する特定の性状を有するように、（ｉ）原油を蒸留及び脱硫して得られる１種又は２種以上の脱硫残渣、又は、（ｉｉ）原油を蒸留、脱硫及び分解して得られる１種又は２種以上の分解系留分若しくは中間留分と脱硫残渣とを混合したもの、を用いて調製することができる。
【００３２】
本開示に係る燃料油組成物は、脱硫残渣を含むのが好ましい。脱硫残渣は、例えば、直接脱硫装置から得られる直接脱硫残渣、又は、減圧蒸留残渣を間接脱硫して得られる間接脱硫残渣である。脱硫残渣の含有量は、動粘度及び燃焼性の観点から、燃料油組成物中に好ましくは３０．０容量％以上、より好ましくは３０．０〜７０．０容量％、更に好ましくは３０．０〜５０．０容量％である。脱硫残渣の混合量が少なすぎると、動粘度が低くなり、燃料油組成物の自己潤滑性能が低下してしまうことがある。一方、脱硫残渣の混合量が多すぎると貯蔵安定性、及び、長期貯蔵安定性が悪化してしまうことがある。
【００３３】
脱硫残渣中の芳香族分の含有量は、好ましくは４５．０〜７０．０質量％、より好ましくは５０．０〜６０．０質量％である。脱硫残渣の芳香族分が少ないとスラッジが生成しやすくなることがあり、多いと着火性、燃焼性が悪化してしまうことがある。脱硫残渣の密度（１５℃）は、好ましくは０．８６００ｇ／ｃｍ３以上、より好ましくは０．９０００〜１．００００ｇ／ｃｍ３である。硫黄分は、例えば０．１０〜１．５０質量％が好ましく、０．１０〜０．７０質量％が更に好ましい。残留炭素分は、例えば１５．００質量％以下である。
【００３４】
本開示に係る燃料油組成物は、分解系留分を含んでいてもよい。分解系留分は、原油処理プロセスにおける分解工程で得られる留分である。分解系留分は、流動接触分解装置又は残油流動接触分解装置から副生するおよそ沸点２３０〜６００℃の留分又は残油である。分解系留分は、例えば、接触分解軽油又は接触分解重油である。燃料油組成物に分解系留分が含まれる場合、分解系留分の含有量は、燃料油組成物中に１０．０〜５０．０容量％であることが好ましく、１０．０〜３０．０容量％であることがより好ましい。分解系留分が多いと着火性・燃焼性が悪化することがある。分解系留分が少ないと低温流動性や貯蔵安定性、長期貯蔵安定性が悪化することがある。
【００３５】
分解系留分が接触分解軽油の場合、密度（１５℃）は、好ましくは０．９０００ｇ／ｃｍ３以上、より好ましくは、０．９３００〜１．１０００ｇ／ｃｍ３である。動粘度（５０℃）は、好ましくは２．０００〜２．５００ｍｍ２／ｓである。硫黄分の含有量は、好ましくは０．２０〜０．５０質量％である。芳香族分の含有量は、７０．０質量％以上、より好ましくは７５．０〜９０．０質量％である。２環以上の芳香族分は、好ましくは４０．０質量％以上、より好ましくは４０．０〜６０．０質量％である。残留炭素分は、好ましくは０．１０質量％以下である。
【００３６】
分解系留分が接触分解重油の場合、密度（１５℃）は、好ましくは０．９０００ｇ／ｃｍ３以上、より好ましくは、０．９３００〜１．１０００ｇ／ｃｍ３である。動粘度（５０℃）は、好ましくは１００．０〜１８０．０ｍｍ２／ｓである。硫黄分の含有量は、０．１０〜１．２０質量％が好ましく、さらに好ましくは０．３０〜０．６０質量％である。芳香族分の含有量は、７０．０質量％以上、より好ましくは７５．０〜９０．０質量％である。残留炭素分は、好ましくは５．００〜８．００質量％である。
【００３７】
本開示に係る燃料油組成物は、脱硫残渣及び分解系留分からなる群より選ばれた１種以上の基材を好ましくは４５．０容量％以上、より好ましくは６０．０容量％以上含む。
【００３８】
本開示に係る燃料油組成物は、中間留分を含んでいてもよい。この場合、中間留分の含有量は、燃料油組成物中に好ましくは４０．０容量％以下、より好ましくは３０．０〜４０．０容量％である。中間留分が多いと低動粘度化し、自己潤滑性が悪化したりする。一方、中間留分が少ないと着火性及び燃焼性が悪化したり発熱量が小さくなったりすることがある。
【００３９】
中間留分は、原油を蒸留及び脱硫して得られる留分である。中間留分としては、蒸留プロセスから得られる灯油質留分及び軽油質留分、直接脱硫装置から得られる直脱軽油、減圧蒸留プロセスから得られる減圧軽油、間接脱硫装置から得られる間脱軽油、並びにこれらを２種以上混合して得られる留分が挙げられる。中間留分の密度（１５℃）は好ましくは０．７６００ｇ／ｃｍ３以上、より好ましくは０．８０００〜０．９０００ｇ／ｃｍ３である。中間留分中の芳香族分の含有量は、２０．０質量％以上が好ましく、より好ましくは３０．０質量％以上、更に好ましくは３８．０〜５１．０質量％である。
【００４０】
一般的に船舶用の燃料油組成物は複数の基材及び低温流動性向上剤などの添加剤を混合し、製造される。本開示に係る燃料油組成物には添加剤が混合されてもよいが、基材と添加剤との混合時、基材に潤滑性向上剤が添加されていないのが好ましい。
【００４１】
本開示に係る燃料油組成物は、船舶用の燃料に用いられるのが好ましい。
【実施例】
【００４２】
《実施例１〜９、比較例１〜９》
表１〜４に記載の基材を表５〜８に記載の容量比で混合して、実施例１〜９及び比較例１〜９に係る燃料油組成物を得た。得られた燃料油組成物の性状を表９〜１２に示す。表中の基材は下記の通りであり、それらの性状を表１〜４に示す。基材及び燃料油組成物の性状は、後述のように測定した。【００４３】
残渣Ａ：脱硫残渣
残渣Ｂ：脱硫残渣
残渣Ｃ：脱硫残渣
残渣Ｄ：脱硫残渣
残渣Ｅ：脱硫残渣【００４４】
減圧軽油Ｆ：減圧蒸留軽油（ＶＧＯ）
中間留分Ｇ：直接脱硫軽油と間接脱硫軽油との配合物
中間留分Ｈ：直接脱硫軽油
中間留分Ｉ：灯油質留分
分解系留分Ｊ：直接分解軽油（ＬＣＯ）
分解系留分Ｋ：直接分解軽油（ＬＣＯ）
分解系留分Ｌ：直接分解重油（ＨＣＯ）とスラリー油（ＳＬＯ）との配合物
分解系留分Ｍ：直接分解重油（ＨＣＯ）とスラリー油（ＳＬＯ）との配合物
分解系留分Ｎ：直接分解軽油（ＬＣＯ）
分解系留分Ｏ：直接分解重油（ＨＣＯ）とスラリー油（ＳＬＯ）との配合物【００４５】
密度（１５℃）：
ＪＩＳ  Ｋ  ２２４９「原油及び石油製品−密度試験方法及び密度・質量・容量換算表」に従って測定した。【００４６】
動粘度（５０℃）：
ＪＩＳ  Ｋ  ２２８３「原油及び石油製品−動粘度試験方法及び粘度指数算出方法」に従って測定した。【００４７】
硫黄分：
ＪＩＳ  Ｋ  ２５４１−４「原油及び石油製品−硫黄分試験方法  第４部：放射線式励起法」に従って測定した。【００４８】
ＣＣＡＩ:
芳香族含有量と着火性及び燃焼性との関連に着目した指標であり、芳香族性を簡便的に重油の密度、動粘度を用いて次式で算出される。
ＣＣＡＩ＝Ｄ−１４０．７ｌｏｇ{ｌｏｇ（Ｖ＋０．８５）}−８０．６
ここで、Ｄは密度（ｋｇ／ｍ３＠１５℃）、Ｖは動粘度（ｍｍ２／ｓ＠５０℃）を示す。【００４９】
流動点（℃）：
ＪＩＳ  Ｋ  ２２６９「原油及び石油製品の流動点並びに石油製品曇り点試験方法」に従って測定した。【００５０】
引火点（℃）：
ＪＩＳ  Ｋ  ２２６５−３「引火点の求め方−第３部：ペンスキーマルテンス密閉法」に従って測定した。【００５１】
推定セタン価：
ＩＰ５４１「Ｄｅｔｅｒｍｉｎａｔｉｏｎ  ｏｆ  ｉｇｎｉｔｉｏｎ  ａｎｄ  ｃｏｍｂｕｓｔｉｏｎ  ｃｈａｒａｃｔｅｒｉｓｔｉｃｓ  ｏｆ  ｒｅｓｉｄｕａｌ  ｆｕｅｌｓ  −  Ｃｏｎｓｔａｎｔ  ｖｏｌｕｍｅ  ｃｏｍｂｕｓｔｉｏｎ  ｃｈａｍｂｅｒ  ｍｅｔｈｏｄ」に基づいた試験に従って推定した。【００５２】
実在スラッジ（質量％）：
ＩＳＯ１０３０７−１「Ｐｅｔｒｏｌｅｕｍ  Ｐｒｏｄｕｃｔｓ−Ｔｏｔａｌ  Ｓｅｄｉｍｅｎｔ  ｉｎ  ｒｅｓｉｄｕａｌ  ｆｕｅｌ  ｏｉｌｓ  Ｐａｒｔ１  Ｄｅｔｅｒｍｉｎａｔｉｏｎ  ｂｙ  ｈｏｔ  ｆｉｌｔｒａｔｉｏｎ」により得られる実在セジメント分である。【００５３】
潜在スラッジ（質量％）：
ＩＳＯ１０３０７−２「Ｐｅｔｒｏｌｅｕｍ  Ｐｒｏｄｕｃｔｓ−Ｔｏｔａｌ  Ｓｅｄｉｍｅｎｔ  ｉｎ  ｒｅｓｉｄｕａｌ  ｆｕｅｌ  ｏｉｌｓ  Ｐａｒｔ２  Ｄｅｔｅｒｍｉｎａｔｉｏｎ  ｕｓｉｎｇ  ｓｔａｎｄａｒｄ  ｐｒｏｃｅｄｕｒｅｓ  ｆｏｒ  ａｇｅｉｎｇ」により得られる潜在セジメント分である。【００５４】
灰分（質量％）：
ＪＩＳ  Ｋ  ２２７２「原油及び石油製品−灰分及び硫酸灰分試験方法」に従って測定した。【００５５】
残留炭素分：
ＪＩＳ  Ｋ  ２２７０「原油及び石油製品−残留炭素分試験方法」に従って測定した。【００５６】
スポットスコア：
ＡＳＴＭ  Ｄ  ４７４０−０４「Ｓｔａｎｄａｒｄ  Ｔｅｓｔ  Ｍｅｔｈｏｄ  ｆｏｒ  Ｃｌｅａｎｌｉｎｅｓｓ  ａｎｄ  Ｃｏｍｐａｔｉｂｉｌｉｔｙ  ｏｆ  Ｒｅｓｉｄｕａｌ  Ｆｕｅｌｓ  ｂｙ  Ｓｐｏｔ  Ｔｅｓｔ」に従って決定した。【００５７】
パラフィン分、芳香族分、レジン分、アスファルテン分（質量％）：
ＪＰＩ−５Ｓ−７０−２０１０法「ＴＬＣ／ＦＩＤ法による組成分析試験方法」に従って測定した。【００５８】
【表１】
2020138272.tif 000002
【００５９】
【表２】
2020138272.tif 000003
【００６０】
【表３】
2020138272.tif 000004
【００６１】
【表４】
2020138272.tif 000005
【００６２】
【表５】
2020138272.tif 000006
【００６３】
【表６】
2020138272.tif 000007
【００６４】
【表７】
2020138272.tif 000008
【００６５】
【表８】
2020138272.tif 000009
【００６６】
【表９】
2020138272.tif 000010
＊１：（パラフィン分＋アスファルテン分）／（芳香族分＋レジン分）  (質量／質量)【００６７】
【表１０】
2020138272.tif 000011
＊１：（パラフィン分＋アスファルテン分）／（芳香族分＋レジン分）  (質量／質量)【００６８】
【表１１】
2020138272.tif 000012
＊１：（パラフィン分＋アスファルテン分）／（芳香族分＋レジン分）  (質量／質量)【００６９】
【表１２】
2020138272.tif 000013
＊１：（パラフィン分＋アスファルテン分）／（芳香族分＋レジン分）  (質量／質量)
【国際調査報告】
2020138272.tif 000014
2020138272.tif 000015
2020138272.tif 000016
2020138272.tif 000017